(57)【要約】【課題】表示されている説明情報の中から、新たな検索対象を簡単に設定することのできる情報表示装置等を提供することを目的とする。【解決手段】ユーザは、キーボード上の文字キーを押下して「air」と入力すると、「air」の説明情報が表示される。ここでユーザがジャンプキーを押下すると、見出語「air」が反転表示３３２される（（ａ））。さらにこの状態で、ユーザが文字キーとして“M”のキーを押下すると、それまで反転表示されていた「air」より後方であって、先頭文字候補「ｍ、M」の何れかの文字を先頭文字とする単語「moist」が検知され、反転表示３３２が「air」から「moist」に移動される（（ｂ））。「moist」が反転表示されている状態で、ユーザが訳／決定キーを押下すると、「moist」の説明情報が表示される（（ｃ））。【選択図】図６
2006323645.tif 000002
【特許請求の範囲】
【請求項１】
各見出語に対応づけてそれぞれ説明情報を記憶する説明情報記憶手段と、
前記見出語の何れかに対応する説明情報を前記説明情報記憶手段から読み出して表示させる説明情報表示手段と、
キーボード上の何れかの文字キーの押下に応じて文字を入力する文字キー入力手段と、
この文字キー入力手段によって入力された文字に対応する単語を前記説明情報表示手段により表示された説明情報から検知して検索対象に設定する文字キー対応単語設定手段と、
この文字キー対応単語設定手段により設定された単語を見出語として、対応する説明情報を前記説明情報記憶手段から読み出して表示させる単語説明情報表示手段と、
を有する情報表示装置。
【請求項２】
入力文字の文字種を変更する文字種変更手段を有し、
前記文字キー対応単語設定手段は、前記文字種変更手段により文字種が変更された後に前記文字キー入力手段によって前記文字キーが押下された際、当該変更された文字種の入力文字に対応する単語を前記説明情報表示手段により表示された説明情報の中から検知して検索対象に設定する文字種変更後文字キー対応単語設定手段を有する、
ことを特徴とする請求項１に記載の情報表示装置。
【請求項３】
前記文字キー対応単語設定手段により検索対象に設定された単語を識別表示する単語識別表示手段を有することを特徴とする請求項１に記載の情報表示装置。
【請求項４】
前記単語識別表示手段により何れかの単語が検索対象として識別表示された後に、キーボード上の何れかの文字キーの押下に応じて文字を再入力する文字キー再入力手段と、
この文字キー再入力手段により文字が再入力された後、前記検索対象として識別表示された単語より後方において、当該再入力された文字に対応する単語を、前記説明情報表示手段により表示された説明情報から検知して検索対象に設定する文字キー対応単語再設定手段と、
を有し、
前記単語説明情報表示手段は、前記文字キー対応単語設定手段又は前記文字キー対応単語再設定手段により、何れかの単語が検索対象に設定された状態で特定のキー操作に応じて当該検索対象に設定された単語を見出語として、この見出語に対応する説明情報を前記説明情報記憶手段から読み出して表示させることを特徴とする請求項３に記載の情報表示装置。
【請求項５】
コンピュータに、
各見出語と当該見出語の説明情報を有する説明情報データの中から前記見出語の何れかに対応する説明情報を読み出して表示させる説明情報表示機能と、
キーボード上の何れかの文字キーの押下に応じて文字を入力する文字キー入力機能と、
この文字キー入力機能によって入力された文字に対応する単語を前記説明情報表示機能により表示された説明情報から検知して検索対象に設定する文字キー対応単語設定機能と、
この文字キー対応単語設定機能により設定された単語を見出語として、対応する説明情報を前記説明情報データの中から読み出して表示させる単語説明情報表示機能と、
を実現させるためのプログラム。
【発明の詳細な説明】
【技術分野】
【０００１】
本発明は、携帯型の電子辞書装置等の情報表示装置及びプログラムに関する。
【背景技術】
【０００２】
従来から、各見出語と、見出語に対応づけた説明情報とを記憶する辞書データベース（Data Base；以下「ＤＢ」と言う。）を備え、入力された入力文字に適合する見出語を辞書ＤＢから読み出し、当該見出語と、当該見出語に対応する説明情報とを表示させる情報表示装置の一種として、携帯型の電子辞書装置（以下「電子辞書」という。）が知られている。
【０００３】
この電子辞書には、ユーザの利便性を向上させるために、いわゆるジャンプ機能を備えたものがある。ジャンプ機能とは、説明情報が表示されている際に、この説明情報の中から、意味内容を調べたい単語をユーザが選択すると、当該選択した単語に適合する見出語が再度検索される機能のことである。
【０００４】
具体的には、一度辞書引きがなされ、見出語と説明情報とが表示された状態でジャンプ機能が実行されると、見出語が反転表示される。この説明情報が表示された画面において、ユーザは方向キーの操作により、反転表示を上下左右に１単語単位で移動させることができる。ユーザが反転表示を所望の単語に移動させ、訳／決定キーを押下すると、反転表示されている単語が検索対象の単語に設定される。検索対象の単語が設定されると、当該検索対象の単語に適合する見出語が辞書ＤＢから読み出され、当該見出語と当該見出語に対応する説明情報とが表示される。
【０００５】
このジャンプ機能に関する先行技術として、特許文献１に開示された技術が知られている。この技術は、複数の辞書ＤＢを備えた電子辞書において、ジャンプ機能による再検索先の辞書ＤＢを選択可能とする技術である。
【特許文献１】特開２００１−１３４５８５号公報
【発明の開示】
【発明が解決しようとする課題】
【０００６】
ところで、近年、紙の辞書をまるごと電子化したいわゆるフルコンテンツタイプの電子辞書が普及している。特に、かかる電子辞書においては、ジャンプ機能使用時の操作が非常に煩雑になることが多々あった。
【０００７】
具体的には、１つの見出語に関して表示される説明情報が膨大であるのに対し、反転表示はユーザの方向キーの操作により、上下左右に１単語単位でしか移動されない。このため、所望の単語の位置まで反転表示を移動させるには、反転表示が現在どこにあるかを目で追いかけつつ、方向キーを何度も押下するといった操作が必要であった。また、反転表示の現在位置に対する注意が散漫になると、反転表示が所望の単語の位置を通り過ぎてしまう場合があり、使い勝手が悪かった。
【０００８】
本発明の目的は、表示されている説明情報の中から、新たな検索対象を簡単に設定することのできる情報表示装置等を提供することである。
【課題を解決するための手段】
【０００９】
上記の課題を解決するため、請求項１に記載の情報表示装置は、各見出語に対応づけてそれぞれ説明情報を記憶する説明情報記憶手段（例えば、図２（ａ）の英和辞書ＤＢ８３及び国語辞書ＤＢ８５）と、前記見出語の何れかに対応する説明情報を前記説明情報記憶手段から読み出して表示させる説明情報表示手段（例えば、図２（ａ）の表示部３、ＣＰＵ６；図４のステップＡ７）と、キーボード上の何れかの文字キー（例えば、図１の文字キー５３）の押下に応じて文字を入力する文字キー入力手段（例えば、図２（ａ）の入力部５、ＣＰＵ６；図４のステップＡ１５）と、この文字キー入力手段によって入力された文字に対応する単語を前記説明情報表示手段により表示された説明情報から検知して検索対象に設定する文字キー対応単語設定手段（例えば、図２（ａ）の入力部５、ＣＰＵ６；図４のステップＡ１９、Ａ３１及びＡ３３）と、この文字キー対応単語設定手段により設定された単語を見出語として、対応する説明情報を前記説明情報記憶手段から読み出して表示させる単語説明情報表示手段（例えば、図２（ａ）の表示部３、ＣＰＵ６；図４のステップＡ３５）とを有することを特徴としている。
【００１０】
請求項２に記載の発明は、請求項１に記載の情報表示制御装置であって、入力文字の文字種を変更する文字種変更手段（例えば、図２（ａ）の入力部５、ＣＰＵ６；図４のステップＡ２３）を有し、前記文字キー対応単語設定手段は、前記文字種変更手段により文字種が変更された後に前記文字キー入力手段によって前記文字キーが押下された際、当該変更された文字種の入力文字に対応する単語を前記説明情報表示手段により表示された説明情報の中から検知して検索対象に設定する文字種変更後文字キー対応単語設定手段（例えば、図２（ａ）の入力部５、ＣＰＵ６；図４のステップＡ２７、Ａ３１及びＡ３３）を有することを特徴としている。
【００１１】
請求項３に記載の発明は、請求項１に記載の情報表示制御装置であって、前記文字キー対応単語設定手段により検索対象に設定された単語を識別表示する単語識別表示手段（例えば、図２（ａ）の表示部３、ＣＰＵ６；図４のステップＡ１３、Ａ２１及びＡ２９）を有することを特徴としている。
【００１２】
請求項４に記載の発明は、請求項３に記載の情報表示制御装置であって、前記単語識別表示手段により何れかの単語が検索対象として識別表示された後に、キーボード上の何れかの文字キーの押下に応じて文字を再入力する文字キー再入力手段（例えば、図２（ａ）の入力部５、ＣＰＵ６；図４のステップＡ２１→Ａ１５）と、この文字キー再入力手段により文字が再入力された後、前記検索対象として識別表示された単語より後方において、当該再入力された文字に対応する単語を、前記説明情報表示手段により表示された説明情報から検知して検索対象に設定する文字キー対応単語再設定手段（例えば、図２（ａ）の入力部５、ＣＰＵ６；図４のステップＡ２１→Ａ１５→Ａ１７→Ａ１９）とを有し、前記単語説明情報表示手段は、前記文字キー対応単語設定手段又は前記文字キー対応単語再設定手段により、何れかの単語が検索対象に設定された状態で特定のキー操作に応じて当該検索対象に設定された単語を見出語として、この見出語に対応する説明情報を前記説明情報記憶手段から読み出して表示させることを特徴としている。
【００１３】
請求項５に記載の発明のプログラムは、コンピュータに、各見出語と当該見出語の説明情報を有する説明情報データ（例えば、図２（ａ）の英和辞書ＤＢ８３、国語辞書ＤＢ８５）の中から前記見出語の何れかに対応する説明情報を読み出して表示させる説明情報表示機能（例えば、図４のステップＡ７）と、キーボード上の何れかの文字キーの押下に応じて文字を入力する文字キー入力機能（例えば、図４のステップＡ１５）と、この文字キー入力機能によって入力された文字に対応する単語を前記説明情報表示機能により表示された説明情報から検知して検索対象に設定する文字キー対応単語設定機能（例えば、図４のステップＡ１９、Ａ３１及びＡ３３）と、この文字キー対応単語設定機能により設定された単語を見出語として、対応する説明情報を前記説明情報データの中から読み出して表示させる単語説明情報表示機能（例えば、図４のステップＡ３５）とを実現させることを特徴としている。
【発明の効果】
【００１４】
請求項１に記載の発明によれば、キーボード上の何れかの文字キーの押下に応じた文字が入力されると、説明情報表示手段により表示されている説明情報の中から、入力された文字に対応する単語が検知されて検索対象に設定され、この検索対象の単語を見出語として、対応する説明情報が読み出されて表示される。従って、ユーザは、検索対象に設定したい単語に対応する文字を指定する文字キーを押下するだけで、その所望の単語を検索対象に設定することができ、新たな検索対象を簡単に設定できる。請求項５に記載の発明の作用効果も同様である。
【００１５】
請求項２に記載の発明によれば、文字種変更手段により文字種が変更された後に文字キー入力手段により文字が入力されると、説明情報表示手段により表示されている説明情報の中から、当該変更された文字種の入力文字に対応する単語が検知されて検索対象に設定される。従って文字キーの押下に応じて入力される文字の文字種を文字種変更手段によって変更できるため、説明情報中の所望の単語が何れの文字種であろうと、当該単語を検索対象に設定できる。
【００１６】
請求項３に記載の発明によれば、検索対象に設定された単語が識別表示される。そのため、現在設定されている検索対象を明瞭に視認できる。
【００１７】
請求項４に記載の発明によれば、文字キー入力手段により一度文字が入力された後であっても、文字キー再入力手段により新たな文字の再入力がなされ得る。そして、文字が再入力されたときには、先に入力された文字に対応する識別表示がなされた単語より後方であって、当該再入力された文字に対応する単語が検知された検索対象に設定される。さらに、特定のキー操作がなされた場合に、当該検索対象の単語を見出語として、対応する説明情報が読み出されて表示される。従って、ユーザは、一旦、文字キーを押下操作した後であっても、文字キーの再度の押下による検索対象の再設定が可能である。よって、例えば、識別表示されている単語が所望の単語でない場合、所望の単語に対応する文字を指定する文字キーを新たに押下するといった簡単な操作で検索対象を再設定することができる。
【発明を実施するための最良の形態】
【００１８】
以下、図１〜図９を参照して、本発明に係る情報表示装置を電子辞書１に適用した実施の形態について詳細に説明する。
【００１９】
まず、電子辞書１の構成を説明する。図１（ａ）は本実施形態における電子辞書１の斜視概観図の一例である。電子辞書１は、表示部３及び入力部５を備える。表示部３は、ユーザによる入力部５の操作に応じた文字や符号等、各種データが表示される部分であり、ＬＣＤ（Liquid Crystal Display）やＥＬＤ（Electronic Luminescent Display）等の、単数または複数の素子の組合せによって構成される。
【００２０】
入力部５は、ユーザが電子辞書１を操作するための各種キー群で構成されている。図１（ｂ）に、入力部５のキー配列を示す。具体的には、入力部５は、訳／決定キー５１と、文字キー５３としての“Ａ”〜“Ｚ”キーと、辞書選択キー５５としての英和キー５５ａ及び国語キー５５ｂと、カーソルキー５７としての上下左右の方向キーと、シフトキー５９と、ジャンプキー６１とを備えている。
【００２１】
各キーの機能について説明する。訳／決定キー５１は、検索の実行や、ジャンプ対象の単語の決定等に使用される。文字キー５３は、ユーザによる文字の入力等に使用される。辞書選択キー５５は、辞書ＤＢの選択に使用される。例えば、ユーザは英和キー５５ａを押下することで辞書引きする辞書ＤＢとして英和辞書を選択することができ、国語キー５５ｂを押下することで国語辞書を選択することができる。カーソルキー５７は、画面内の反転表示の移動等に使用される。シフトキー５９は、日本語の単語を検索対象に設定するとき等に使用される。ジャンプキー６１は、ジャンプ機能を起動するときに使用される。
【００２２】
図２（ａ）は、電子辞書１の構成を示すブロック図である。電子辞書１は表示部３、入力部５、ＣＰＵ６、ＲＡＭ７、ＲＯＭ８を備えて構成されている。
【００２３】
ＣＰＵ６は、入力される指示に応じて所定のプログラムに基づいた処理を実行し、各機能部への指示やデータの転送等を行い、電子辞書１を統括的に制御する。具体的には入力部５から入力される押下信号等に応じてＲＯＭ８に格納された各種プログラムを読み出し、当該プログラムに従って処理を実行する。そして、処理結果をＲＡＭ７に保存するとともに、当該処理結果を表示するための表示信号を適宜表示部３に出力して、対応した表示内容を表示させる。
【００２４】
また、ＣＰＵ６は、ＲＯＭ８よりジャンプ検索プログラム８１を読み出し、実行することにより、ジャンプ検索処理を実行する。ジャンプ検索処理の内容は、フローチャート（図４参照）を参照して詳細に後述するが、ここで簡単に処理内容を説明する。ジャンプ検索処理において、ＣＰＵ６は、まず、ユーザが文字入力するための画面（以下「文字入力画面」という。）を表示させる。このとき、ユーザの文字キー５３の押下に応じて、入力された文字を文字入力画面内に備えられた文字入力欄に表示させる。ここで入力される文字は１文字である場合に限らず、複数文字からなる文字であってもよい。そして、ＣＰＵ６はユーザにより入力された文字と前方一致する見出語を辞書ＤＢから読み出し、当該辞書ＤＢに記憶されている当該見出語以降の見出語を一覧として表示させる。この見出語一覧の中からユーザが一の見出語を選択すると、選択された見出語に対応する説明情報を辞書ＤＢから読み出して表示させる。
【００２５】
そして、説明情報が表示された画面（以下「説明情報表示画面」という。）において、ユーザのジャンプキー６１の押下に応じて、ＣＰＵ６は、画面上の１つの単語を反転表示させる。この反転表示をＣＰＵ６は、ユーザのカーソルキー５７の押下に応じて移動させる。また、この説明情報表示画面において、文字キー５３が押下された場合、ＣＰＵ６は、押下された文字キー５３に対応する１文字を先頭文字とする説明情報中の単語に、反転表示を移動させる。そして、訳／決定キー５１が押下された場合、反転表示されている単語を新たな検索対象の単語であるジャンプ対象単語とし、ジャンプ対象単語に該当する見出語の説明情報を辞書ＤＢから読み出して、表示させる。
【００２６】
入力部５は、押下されたキーの押下信号等をＣＰＵ６に出力する。表示部３は、ＣＰＵ６から入力される表示信号に基づいて各種画面を表示する。
【００２７】
ＲＡＭ７は、ＣＰＵ６が実行する各種プログラムや、これらプログラムの実行に係るデータ等を一時的に保持するメモリ領域を備える。本実施の形態では、特に選択見出語記憶領域７１、頭文字候補記憶領域７３、ジャンプ対象単語記憶領域７５を備えている。
【００２８】
選択見出語記憶領域７１には、選択見出語が記憶される。選択見出語とは、入力文字に前方一致する見出語からアルファベット順或いは五十音順に辞書ＤＢから読み出された見出語の一覧の中から、辞書引きする対象の見出語としてユーザによって選択された見出語のことである。頭文字候補記憶領７３には頭文字候補が記憶される。頭文字候補とは、ジャンプ検索処理において、ジャンプ対象単語の先頭文字を指定するためにユーザが押下操作する文字キー５３に対応する１文字のことである。ジャンプ対象単語記憶領域７５には、ジャンプ対象単語が記憶される。
【００２９】
図２（ｂ）は選択見出語記憶領域７１に記憶される選択見出語７１ａの一例を示す図である。同図（ｂ）において、選択見出語７１ａとして「air」が記憶されている。同図（ｃ）は頭文字候補記憶領域７３に記憶される頭文字候補７３ａの一例を示す図である。同図（ｃ）において、頭文字候補７３ａとして「ｍ、Ｍ」が記憶されている。同図（ｄ）はジャンプ対象単語記憶領域７５に記憶されるジャンプ対象単語７５ａの一例を示す図である。同図（ｄ）において、ジャンプ対象単語７５ａとして「air」が記憶されている。
【００３０】
ＲＯＭ８は、電子辞書１の各種機能を実現する為のプログラムやデータを記憶するメモリである。本実施の形態において、ＲＯＭ８には、ＣＰＵ６にジャンプ検索処理を実行させるためのジャンプ検索プログラム８１と、辞書ＤＢである英和辞書ＤＢ８３及び国語辞書ＤＢ８５とが記憶されている。
【００３１】
英和辞書ＤＢ８３及び国語辞書ＤＢ８５それぞれには、複数の見出語と、当該見出語の意味内容を説明・解説する説明情報と、当該説明情報の読みを示す読み情報とが対応づけて記憶されている。
【００３２】
図３（ａ）は英和辞書ＤＢ８３のテーブル構成の一例を示す図である。英和辞書ＤＢ８３において、見出語と、当該見出語の意味内容を説明・解説する説明情報８３１と、読み情報８３２とが対応づけて記憶されている。読み情報８３２とは、説明情報８３１の読みを示す情報であり、説明情報８３１の単語と単語の間にスペースが挿入され、漢字が読み仮名に置き換えられたものである。例えば、図３（ａ）において、見出語「moist」には、説明情報として「1 a.湿った、雨の多い・・・」が対応付けられている。また、読み情報として「1 a.しめった、あめ  の  おおい・・・」が対応づけられている。
【００３３】
図３（ｂ）は国語辞書ＤＢ８５のテーブル構成である。英和辞書ＤＢ８３の構成と同様に、見出語と、説明情報８５１と、読み情報８５２とが対応づけて記憶されている。
【００３４】
次に、電子辞書１の動作を説明する。図４は、ＣＰＵ６がジャンプ検索プログラム８１を読み出して実行するジャンプ検索処理の動作を説明するためのフローチャートである。また、図５〜図９はジャンプ検索処理の際に表示部３に表示される画面の一例を示した図である。ジャンプ検索処理の流れを、図５〜図９の画面例を参照しながら以下詳細に説明する。
【００３５】
まず、ＣＰＵ６は、文字入力画面を表示部３に表示させる。そして、ＣＰＵ６は文字キー５３の押下に応じて入力された文字を文字入力欄に表示させる（ステップＡ１）。
【００３６】
図５（ａ）はステップＡ１時点の表示画面例を示す図であり、ユーザが英和辞典を選択して「air」と文字入力した際の文字入力画面３１の一例である。文字入力画面３１には、辞書名称３１１として「英和辞典」が表示され、辞書名称３１１の下の文字入力欄３１２に「air」が入力・表示されている。
【００３７】
次いで、ＣＰＵ６は入力された文字に前方一致する見出語を先頭にして、英和辞書ＤＢ８３に記憶されている順に見出語を読み出して、見出語一覧として表示する。ここでＣＰＵ６は見出語一覧の先頭の単語を反転表示させる。尚、ＣＰＵ６は、この反転表示をカーソルキー５７の押下操作に応じて、該当する方向に移動させる（ステップＡ３）。
【００３８】
図５（ｂ）はステップＡ３時点の表示画面例を示す図であり、入力された文字「air」に前方一致する見出語から順番に英和辞書ＤＢ８３に記憶されている見出語が見出語一覧として表示された画面３２の一例である。画面３２には、「英和辞典」の辞書名称３２１と、文字入力欄３２２と、文字入力欄３２２の下に「air、air bag、air alert・・・」の見出語一覧３２４とが表示され、見出語一覧３２４の先頭の単語「air」が反転表示３２３されている。
【００３９】
続いて、見出語一覧において、ユーザによる訳／決定キー５１の押下に応じて、ＣＰＵ６は反転表示されている見出語を選択見出語として、選択見出語記憶領域７１に記憶し（ステップＡ５）、この選択見出語と一致する見出語の説明情報を英和辞書ＤＢ８３より読み出して表示部３に表示させる（ステップＡ７）。
【００４０】
図５（ｃ）はステップＡ７時点の表示画面例を示す図であり、「air」が反転表示３２３された図５（ｂ）の見出語一覧画面においてユーザが訳／決定キー５１を押下し、「air」の説明情報が表示された画面３３の一例である。画面３３には「英和辞典」の辞書名称３３１の下に、見出語「air」と、見出語「air」の説明情報「［「大気の下層部分」が原義］・・・」とが表示されている。
【００４１】
説明情報が表示されている状態（ステップＡ７）において、ＣＰＵ６はジャンプキー６１が押下されるか否かを判定する（ステップＡ９）。ジャンプキー６１がユーザにより押下されないと判定した場合（ステップＡ９；Ｎｏ）、ＣＰＵ６は他の処理へ移行し（ステップＡ１１）、ジャンプキー６１が押下されたと判定した場合（ステップＡ９；Ｙｅｓ）、表示されている説明情報中の先頭の単語を反転表示させる（ステップＡ１３）。
【００４２】
図６（ａ）は、ステップＡ１３時点の表示画面例を示す図であり、見出語「air」と見出語「air」の説明情報「［「大気の下層部分」が原義］・・・」とが表示された図５（ｃ）の画面３３において、ユーザがジャンプキー６１を押下したときの例である。図６（ａ）において、説明情報中の先頭の単語として、見出語「air」が反転表示される。
【００４３】
次いで、ＣＰＵ６は文字キー５３の何れかの押下がなされたか否かを判定する（ステップＡ１５）。押下されたと判定した場合（ステップＡ１５；Ｙｅｓ）、ＣＰＵ６は、押下された文字キー５３に対応する１文字を頭文字候補として頭文字候補記憶領域７３に記憶する。具体的には、ＣＰＵ６は押下された文字キー５３に対応する英文字の大文字及び小文字を頭文字候補として頭文字候補記憶領域７３に記憶する（ステップＡ１７）。頭文字候補が記憶されると、ＣＰＵ６は、説明情報中の反転表示されている単語より後方において、頭文字候補の何れかを先頭文字とする単語を検知する（ステップＡ１９）。ここで、頭文字候補が英文字であることから、英単語が検知されることとなる。そして、検知した単語を反転表示することで反転表示を移動させる（ステップＡ２１）。
【００４４】
図６（ｂ）は、ステップＡ２１時点の表示画面例を示す図であり、見出語「air」の説明情報「［「大気の下層部分」が原義］・・・」が表示された図６（ａ）の画面３３において、ユーザが文字キー５３として “Ｍ”のキーを押下したときの画面例である。図６（ｂ）において、それまで反転表示されていた「air」より後方であって、頭文字候補「Ｍ、m」の何れかの文字を先頭文字とする単語「moist」が検知され、反転表示３３２が「air」から「moist」に移動される。
【００４５】
ステップＡ２１の処理の後、ＣＰＵ６は処理をステップＡ１５へ移行する。仮に、文字キー５３が押下されず（ステップＡ１５；Ｎｏ）、シフトキー５９及び文字キー５３の押下もなされず（ステップＡ２３；Ｎｏ）、訳／決定キー５１が押下された場合には（ステップＡ３１；Ｙｅｓ）、ＣＰＵ６は反転表示されている単語をジャンプ対象単語としてジャンプ対象単語記憶領域７５に記憶し（ステップＡ３３）、このジャンプ対象単語と一致する見出語の説明情報を英和辞書ＤＢ８３から読み出して、表示部３に表示させる（ステップＡ３５）。説明情報を表示させた後は、ＣＰＵ６はステップＡ９に処理を移行してステップＡ９〜Ａ３５の処理を繰り返し実行する。
【００４６】
図６（ｃ）は、ステップＡ３５時点の表示画面例を示す図であり、見出語「air」の説明情報中、単語「moist」が反転表示されている図６（ｂ）の画面３３において、ユーザが訳／決定キー５１を押下することで、「moist」の説明情報が表示された画面例である。図６（ｃ）において、画面３３には「英和辞典」の辞書名称３３１と、見出語「moist」と、見出語「moist」の説明情報「1 a. 湿った、雨の多い・・・」とが表示されている。
【００４７】
尚ここで、ステップＡ２１の処理の後、文字キー５３の何れかが再度押下された場合には（ステップＡ１５；Ｙｅｓ）、ＣＰＵ６はステップＡ１７〜Ａ２１の処理を繰り返し実行する。
【００４８】
図７（ａ）は、ステップＡ１７〜Ａ２１の処理を繰り返し実行した場合のステップ２１時点の表示画面例を示す図であり、見出語「air」の説明情報が表示された図６（ｂ）の画面３３において、ユーザが文字キー５３として “Ｂ”のキーを押下したときの画面例である。図６（ｂ）において反転表示された「moist」より後方であって、頭文字候補「B、ｂ」の何れかの文字を先頭文字とする単語「breeze」が検知され、反転表示３３２が「moist」から「breeze」に移動される。
【００４９】
図７（ｂ）は図７（ａ）の画面３３において、ユーザが訳／決定キー５１を押下することで、「breeze」の説明情報が表示された画面例である。図７（ｂ）において、画面３３には「英和辞典」の辞書名称３３１と、見出語「breeze」と、見出語「breeze」の説明情報「1 n．そよ風・・・」とが表示されている。
【００５０】
一方、ステップＡ１５において、何れの文字キー５３も押下されないと判定した場合には（ステップＡ１５；Ｎｏ）、ＣＰＵ６は、シフトキー５９及び文字キー５３の組合せ操作がなされたか否かを判定する（ステップＡ２３）。シフトキー５９及び文字キー５３の組合せ操作がなされたと判定した場合（ステップＡ２３；Ｙｅｓ）、ＣＰＵ６は、押下された文字キー５３に対応する１文字を頭文字候補として頭文字候補記憶領域７３に記憶する（ステップＡ２５）。
【００５１】
具体的には、ここで押下された文字キー５３が「Ａ、Ｉ、Ｕ、Ｅ、Ｏ」の何れかであった場合、それぞれに対応する日本語の母音「あ、い、う、え、お」を頭文字候補とする。例えば、文字キー５３の“Ａ”のキーがユーザにより押下されたときは、「あ」が頭文字候補となる。「Ａ、Ｉ、Ｕ、Ｅ、Ｏ」以外の場合、文字キー５３の文字を子音として、この子音の末尾に母音５つをそれぞれ追加して構成される日本語を頭文字候補とする。例えば、文字キー５３中の“Ｍ”のキーがユーザにより押下された場合は、「ま、み、む、め、も」を頭文字候補とする。尚、押下された文字キー５３のキーが表す文字に対応する子音が無いとき（Ｑ、Ｃ等）には、頭文字候補を記憶しない。
【００５２】
頭文字候補が記憶されると、ＣＰＵ６は、反転表示されている単語に対応する読み情報中の読みの後方であって、頭文字候補の何れかを先頭文字とする単語の読みを検知することで、当該頭文字候補の何れかを先頭文字とする説明情報中の単語を検知する（ステップＡ２７）。ここで、頭文字候補が日本語であることから、日本語の単語が検知されることとなる。そして、検知した単語を反転表示することで反転表示を移動させる（ステップＡ２９）。
【００５３】
図８（ａ）は、ステップＡ２９時点の表示画面例を示す図であり、「air」の説明情報「［「大気の下層部分」が原義］・・・」が表示された図６（ａ）の画面３３において、ユーザがシフトキー５９と、文字キー５３の“Ｍ”キーとの組合わせ操作を行ったときの画面例である。図５（ｃ）において反転表示された「air」より後方の読み情報中であって、頭文字候補「ま、み、む、め、も」の何れかの文字を先頭文字とする単語「むげん」が検知され、反転表示３３２が「air」から「無限」の先頭文字「無」に移動される。
【００５４】
ステップＡ２９の処理の後、ＣＰＵ６は処理をステップＡ１５へと移行する。仮に、文字キー５３が押下されず（ステップＡ１５；Ｎｏ）、シフトキー５９及び文字キー５３の押下もなされず（ステップＡ２３；Ｎｏ）、訳／決定キー５１が押下された場合には（ステップＡ３１；Ｙｅｓ）、ＣＰＵ６は反転表示されている単語をジャンプ対象単語としてジャンプ対象単語記憶領域７５に記憶し（ステップＡ３３）、このジャンプ対象単語と一致する見出語の説明情報を国語辞書ＤＢ８５から読み出して、表示部３に表示させる（ステップＡ３５）。説明情報を表示させた後は、ＣＰＵ６はステップＡ９に処理を移行してステップＡ９〜Ａ３５の処理を繰り返し実行する。
【００５５】
図８（ｂ）は、ステップＡ３５時点の表示画面例を示す図であり、見出語「air」の説明情報中、単語「無限」の先頭文字「無」が反転表示されている図８（ａ）の画面３３において、ユーザが訳／決定キー５１を押下することで、「むげん」の説明情報が表示された画面例である。図８（ｂ）において、画面３３には「国語辞典」の辞書名称３３１と、見出語「むげん」と、見出語「むげん」の説明情報「[無限] （名・形動）[文]ナリ・・・」とが表示されている。
【００５６】
尚ここで、ステップＡ２９の処理の後に、文字キー５３が押下されず（ステップＡ１５；Ｎｏ）、シフトキー５９及び文字キー５３の組合わせ操作がなされた場合には（ステップＡ２３；Ｙｅｓ）、ＣＰＵ６はステップＡ２５〜Ａ２９の処理を繰り返し実行する。
【００５７】
図９（ａ）は、ステップＡ２５〜Ａ２９の処理を繰り返し実行した場合のステップ２９時点の表示画面例を示す図であり、見出語「air」の説明情報が表示された図８（ａ）の画面３３において、ユーザがシフトキー５９及び文字キー５３として “Ｉ”のキーの組合せ操作を行ったときの画面例である。図８（ａ）において反転表示された「むげん」より後方であって、頭文字候補「い」の文字を先頭文字とする単語「いちめん」が検知され、反転表示３３２が「無限」の先頭文字「無」から「一面」の先頭文字「一」に移動される。
【００５８】
図９（ｂ）は図９（ａ）の画面３３において、ユーザが訳／決定キー５１を押下することで、「いちめん」の説明情報が表示された画面例である。図９（ｂ）において、画面３３には「国語辞典」の辞書名称３３１と、見出語「いちめん」と、見出語「いちめん」の説明情報「[一面](1)(ア)物体の一つの面。・・・」とが表示されている。
【００５９】
以上、実施の形態を説明したが、電子辞書１は、説明情報が表示されている状態において、ジャンプキー６１が押下されると、画面上の１つの単語を反転表示させ、続いて文字キー５３の何れかの押下に応じて、押下された文字キー５３に対応する文字を頭文字とする単語を検知して反転表示を移動させ、新たな検索対象に設定する。また、電子辞書１は、文字キー５３の押下に応じて反転表示を移動させた後も、再度の文字キー５３の押下に応じて、新たな検索対象を再設定できる。
【００６０】
従って、ユーザはカーソルキー５７を何度も操作して反転表示を所望の単語まで移動させることなく、当該単語の読みの頭文字を示す文字キー５３を押下するだけで簡単に所望の単語まで反転表示を移動させて新たな検索対象を設定できる。このため、使い勝手の良い電子辞書を実現できる。
【００６１】
更に、シフトキー５９及び文字キー５３の組合せ操作がなされると、押下された文字キー５３に対応する文字群を頭文字とする日本語の単語を検知して、新たな検索対象に設定することも可能である。
【００６２】
尚、本発明は上述した実施形態に限らず、他の実施形態への適用も可能であることは言うまでもない。例えば、上述した実施形態の電子辞書１では辞書ＤＢとして英和辞書ＤＢ８３と国語辞書ＤＢ８５とを備えることとしたが、仏日辞書ＤＢや、独日辞書ＤＢ、中日辞書ＤＢ等、他の辞書ＤＢを備えることとしても良い。この場合、上述したジャンプ検索処理のステップＡ２１及びＡ２９において、ジャンプ先の辞書ＤＢをユーザが選択する処理を加えることで、所望の辞書で検索できるようになる。
【００６３】
また、ジャンプ検索処理のステップＡ２３〜Ａ２９において、シフトキー５９と文字キー５３との組合せ操作により日本語の単語を検索対象として指定することとしたが、日本語の単語を検索対象として指定する操作方法はこの操作方法に限らない。例えば、同一の文字キー５３の２回連続押下によって日本語の単語を検索対象とすることとしてもよい。より具体的には、同一の文字キー５３が２回連続操作された場合、ステップＡ２３の判定をＹｅｓと判定する。
【００６４】
また、電子辞書を情報表示装置の適用例として説明したが、辞書機能を有する電子機器であれば、本発明を、携帯電話機やパソコン、ＰＤＡ（Personal Digital Assistants）等にも適用可能である。
【図面の簡単な説明】
【００６５】
【図１】（ａ）本実施形態における電子辞書の斜視概観図の一例を示す図。（ｂ）本実施形態における電子辞書のキー配列の一例を示す図。
【図２】（ａ）本実施形態における電子辞書の構成を示すブロック図。（ｂ）選択見出語記憶領域の状態の一例を示す図。（ｃ）頭文字候補記憶領域の状態の一例を示す図。（ｄ）ジャンプ対象単語記憶領域の状態の一例を示す図。
【図３】（ａ）英和辞書ＤＢのテーブル構成の一例を示す図。（ｂ）国語辞書ＤＢのテーブル構成の一例を示す図。
【図４】本実施形態におけるジャンプ検索処理を説明するためのフローチャート。
【図５】本実施形態における表示部に表示される表示画面の一例を示す図。
【図６】本実施形態における表示部に表示される表示画面の一例を示す図。
【図７】本実施形態における表示部に表示される表示画面の一例を示す図。
【図８】本実施形態における表示部に表示される表示画面の一例を示す図。
【図９】本実施形態における表示部に表示される表示画面の一例を示す図。
【符号の説明】
【００６６】
１  電子辞書
３  表示部
５  入力部
５１  訳／決定キー
５３  文字キー
５５  辞書選択キー
５５ａ  英和キー
５５ｂ  国語キー
５７  カーソルキー
５９  シフトキー
６１  ジャンプキー
６  ＣＰＵ
７  ＲＡＭ
７１  選択見出語記憶領域
７３  頭文字候補記憶領域
７５  ジャンプ対象単語記憶領域
８  ＲＯＭ
８１  ジャンプ検索プログラム
８３  英和辞書ＤＢ
８５  国語辞書ＤＢ
【図１】
2006323645.tif 000003
【図２】
2006323645.tif 000004
【図３】
2006323645.tif 000005
【図４】
2006323645.tif 000006
【図５】
2006323645.tif 000007
【図６】
2006323645.tif 000008
【図７】
2006323645.tif 000009
【図８】
2006323645.tif 000010
【図９】
2006323645.tif 000011